(57)【要約】【課題】  本体の軽量化を計りながら、本体強度を向上させ、且つ本体に組み込まれる電装品箱の着脱を容易にしたダクト型空気調和機を提供することを目的とする。【解決手段】  天板５は平板状に形成された鋼板の表面に、絞り加工により断面凹状の複数のビード５ｄを形成して強度を増加させるとともに、四側の角部５ｃは所定の半径Ｒで折曲されている。また、天板５の４辺には下方に垂下するフランジ５ａ及びフランジ５ｂが形成され、天板５上面と、フランジ５ａ及びフランジ５ｂとの折曲部も所定の半径Ｒで折曲されるようになっており、角部５ｃの鋼板が水平方向及び上下方向に圧縮されて鋼板強度が増大し、例えば下部筐体から衝撃力、押圧力が掛かったとしても天板５は充分な強度を保つことができるようになっている。【選択図】図５
2011185481.tif 000002
【特許請求の範囲】
【請求項１】
吸込部と吹出部とを備えた本体内を仕切板により、送風ファンを収納した送風機室と、熱交換器と露受皿とを収納した熱交換器室とに区画し、前記仕切板に、前記送風ファンを駆動するファンモータを固定し、前記本体に電装品箱を付設してなるダクト型空気調和機において、
前記本体が、天板と、左側パネル及び右側パネルと、前面板と、底板とで筐体を構成する一方、本体に付設される前記電装品箱が本体の一角部を構成してなり、
前記天板は周囲にフランジを設けるとともに、同天板の四側の角部が所定の半径で折曲され、前記フランジの折曲部も所定の半径で折曲されてなり、前記電装品箱の上部角部も前記天板の角部と一致するように所定の半径で折曲されてなることを特徴とするダクト型空気調和機。
【請求項２】
前記右側パネルは、平坦部の両側に折曲されたフランジを有しており、前記平坦部と前記フランジとの折曲部も所定の半径で折曲されてなることを特徴としてなる請求項１に記載のダクト型空気調和機。
【請求項３】
前記電装品箱は、メインカバーとサブカバーとからなり、メインカバーの上部一側には、内側へ折曲され延出された接合片が設けられ、同接合片の高さは、前記天板のフランジの高さより大きく設定されてなることを特徴とする請求項１に記載のダクト型空気調和機。
【請求項４】
前記天板の前記接合片が当接するフランジ角部には、切欠きによる拡開部が設けられるとともに、同拡開部の両側には、前記接合片に穿設された螺子孔に螺合する螺子が挿通する螺子挿通孔が穿設されていることを特徴とする請求項１及び請求項３に記載のダクト型空気調和機。
【発明の詳細な説明】
【技術分野】
【０００１】
本発明は、ダクト型空気調和機に関わり、より詳細には筐体の強度向上に関するものである。
【背景技術】
【０００２】
建屋の天井空間内に設置され、熱交換器およびファンを収容して構成された本体に、吹出ダクトを接続したダクト型空気調和機が知られている。本体内は仕切板により送風機室と熱交換器室とに区画され、送風機室には複数の送風ファンと、同送風ファンを駆動するファンモータとが配設され、熱交換器室には、熱交換器と、同熱交換器から滴下する凝縮水を貯留する露受皿とが配設されている。
【０００３】
本体は、天板と、左側パネル及び右側パネルと、吹出ダクトが接続される前面板とで筐体を構成し、同筐体に、露受皿を挿入するとともに、底板を被着して構成されるようになっており、天板には強度補強の為のビードが複数形成されている。左側パネル及び右側パネルには吊り金具が取付けられ、同吊り金具が、建屋の天井から垂下された吊りボルトに固定されて、本体は建屋の天井面と室内の天井面との間に横置状態で吊り下げ設置されるようになっている。また、天井面内のスペースに余裕が無い場合は、他に付設した吊り金具により本体は縦置状態でも設置されるようになっている。
【０００４】
上記したように、ダクト型空気調和機の本体は、建屋の天井から垂下された吊りボルトに固定されて、横置状態あるいは縦置状態で吊り下げ設置されることにより、本体に自重による応力が掛かるとともに、何らかの予期しない応力が掛かると、ビードにより補強した天板等においても捩じれ現象等の変形が生じる虞がある。
【０００５】
本体の強度を高めた従来例として、例えば図１０（Ａ）に示すダクト型空気調和機３０は、天板３２、側板及び前面板からなる筐体３１に底板を被着して本体を構成し、同本体内に熱交換器３５と一対の送風ファン３４とを収容している（特許文献１参照）。
【０００６】
天板３２の両側には、図１０（Ｂ）に示すように、断面コ字状の鋼材からなる固定具３３が装着され、同固定具３３の両端部には、切欠きによる固定部３３ａが設けられている。同固定部３３ａは建屋の天井から垂下された吊りボルトに固定され、これによりダクト型空気調和機３０は建屋の天井面と室内の天井面との間に吊り下げ設置されるようになっている。また、熱交換器３５と一対の送風ファン３４の上部は、天板３２に固定されるようになっており、これにより他側の部位に過剰な応力が掛からないようにしている。
【０００７】
しかしながら、断面コ字状の鋼材からなる一対の固定具３３を天板３２に装着すると本体の重量が増加し、本体の軽量化が求められる近年においては改善が求められていた。また、従来は、制御基板を収納した電装品箱は本体外部に付設されていたが、近年は本体内部に組み込まれるようになり、本体の強度向上とともに、電装品箱の本体への着脱作業が容易になるような本体構造が求められていた。
【先行技術文献】
【特許文献】
【０００８】
【特許文献１】特開２００１−２２７７７０号（３頁、図１）
【発明の概要】
【発明が解決しようとする課題】
【０００９】
本発明は上記問題点に鑑み、本体の軽量化を計りながら本体強度を向上させ、且つ本体に組み込まれる電装品箱の着脱を容易にしたダクト型空気調和機を提供することを目的とする。
【課題を解決するための手段】
【００１０】
本発明は、上記課題を解決するため、吸込部と吹出部とを備えた本体内を仕切板により、送風ファンを収納した送風機室と、熱交換器と露受皿とを収納した熱交換器室とに区画し、前記仕切板に、前記送風ファンを駆動するファンモータを固定し、前記本体に電装品箱を付設してなるダクト型空気調和機において、前記本体が、天板と、左側パネル及び右側パネルと、前面板と、底板とで筐体を構成する一方、本体に付設される前記電装品箱が本体の一角部を構成してなり、前記天板は周囲にフランジを設けるとともに、同天板の四側の角部が所定の半径で折曲され、前記フランジの折曲部も所定の半径で折曲されてなり、前記電装品箱の上部角部も前記天板の角部と一致するように所定の半径で折曲されてなる構成となっている。
【００１１】
また、前記右側パネルは、平坦部の両側に折曲されたフランジを有しており、前記平坦部と前記フランジとの折曲部も所定の半径で折曲された構成となっている。
【００１２】
また、前記電装品箱は、メインカバーとサブカバーとからなり、メインカバーの上部一側には、内側へ折曲され延出された接合片が設けられ、同接合片の高さは、前記天板のフランジの高さより大きく設定された構成となっている。
【００１３】
また、前記天板の前記接合片が当接するフランジ角部には、切欠きによる拡開部が設けられるとともに、同拡開部の両側には、前記接合片に穿設された螺子孔に螺合する螺子が挿通する螺子挿通孔が穿設されている構成となっている。
【発明の効果】
【００１４】
請求項１の発明によれば、天板の四側の角部が所定の半径で折曲され、また、天板上面と周囲のフランジとの折曲部が所定の半径で折曲されることにより、天板の四側の角部は水平方向及び上下方向においても圧縮され、天板が、反りあるいは捩じれ等の変形に対して剛性が増すようになっている。これにより、何らかの衝撃力、押圧力が掛かったとしても天板を含む筐体は充分な強度を保つことができるようになっている。また、本体の一角部を構成する電装品箱の上部角部も天板の角部と一致するように折曲されることにより、本体強度を維持できるようになっている。
【００１５】
請求項２の発明によれば、右側パネル平坦部の両側に折曲されたフランジは、所定の半径で折曲されることにより、右側パネルの強度が向上するようになっている。
【００１６】
請求項３の発明によれば、電装品箱を構成するメインカバーの上部一側には、内側へ折曲され延出された接合片が設けられることにより、電装品箱の角部と天板の角部形状とを一致させることができ、また、接合片の高さは、前記天板のフランジの高さより大きく設定されることにより、電装品箱の取付強度が増すようになっている。
【００１７】
接合片が当接する天板のフランジ角部には、切欠きによる拡開部が設けられることにより、電装品箱の本体からの着脱作業が容易になるとともに、拡開部の両側が電装品箱に螺着されることにより、電装品箱と天板との接合強度が向上するようになっている。
【図面の簡単な説明】
【００１８】
【図１】本発明によるダクト型空気調和機の外観斜視図である。
【図２】本発明によるダクト型空気調和機の断面図である。
【図３】本発明によるダクト型空気調和機において天板を外した状態を示す斜視図である。
【図４】本体の構成を示す分解斜視図である。
【図５】天板の構成を示す正面図である。
【図６】天板の構成を示す要部詳細図である。
【図７】左側パネル及び右側パネルの斜視図である。
【図８】電装品箱と天板とを示す斜視図である。
【図９】電装品箱と天板との接合を説明する説明図である。
【図１０】従来のダクト型空気調和機の構成を示す説明図である。
【発明を実施するための形態】
【００１９】
以下、本発明の実施の形態を、添付図面に基づいた実施例として詳細に説明する。
【実施例１】
【００２０】
本発明によるダクト型空気調和機は、図１の斜視図で示すように、天板５と、左側パネル３及び右側パネル４と、吹出ダクトが接続される前面板７とで上部筐体を構成し、同上部筐体に、後述する露受皿１６を挿入するとともに、底板２を被着して本体１を構成するようになっている。同本体１の後面は、フィルタ１８が装着された吸込部６となっており、同吸込部６から吸込まれた空気は、後述する熱交換器１５により冷媒と熱交換されて、前面板７に接続された吹出ダクトにより室内に送出されるようになっている。また、本体１の左側パネル３側の一角には、制御基板１９ｃを収納した箱体状の電装品箱１９が装着されており、同電装品箱１９も本体１の角部を構成するようになっている。尚、本体１の左側パネル３、右側パネル４及び天板５の内側あるいは外側表面には、これらの表面に結露が発生することを防止する断熱材が貼着されており、左側パネル３からは、後述する熱交換器１５に接続される冷媒入出力管１５ｂが導出されている。
【００２１】
左側パネル３の上部にはＬ字状に形成された吊金具３ａが取付けられ、同様に、右側パネル４の上部には吊金具４ｄが取付けられており、これら吊金具３ａ及び吊金具４ｄは建屋の天井から垂下された吊りボルトに固定されて、本体１は建屋の天井と室内の天井面との間に横置状態で吊り下げ設置されるようになっている。また、天板５と底板２の一側には吊金具５ｇと吊金具２ａが夫々取付けられ、右側パネル４の一側には上下に吊金具４ｅが取付けられており、これら吊金具５ｇ、吊金具２ａ及び吊金具４ｅは本体１の縦置設置時に使用されるようになっている。
【００２２】
本体１内は、図２の断面図で示すように、仕切板８により前後に区画され、区画された一方の吸込部６側には送風機室９が設けられ、区画された他方の前面板７側には熱交換器室１０が設けられている。
【００２３】
送風機室９には、図２の断面図及び図３の斜視図で示すように、送風ファン１１が横方向に複数台設けられている。同送風ファン１１は、吸込口１２ａを両側に備え、吹出部１２ｂの先端部に吹出口１２ｃを開口したケーシング１２と、同ケーシング１２内に回転自在に収納され、吸込口１２ａの両側に回転軸を突出させた回転ブレード１３とからなり、ケーシング１２の吹出部１２ｂは仕切板８に固定されるようになっている。
【００２４】
尚、送風ファン１１はシロッコファンであり、ケーシング１２の両側の吸込口１２ａから吸入した空気を、ブレードを周上に配設した回転ブレード１３の回転により吹出部１２ｂの吹出口１２ｃから熱交換器室１０に送出するようになっている。
【００２５】
送風ファン１１の間には、夫々の送風ファン１１の回転ブレード１３を回転駆動させる、両側に回転軸を突出させたファンモータ１４が設けられている。同ファンモータ１４の回転軸は、両側に位置する送風ファン１１の回転軸に連結される一方、送風ファン１１の回転軸は図示しない連結部材を介して夫々連結されており、これにより、複数の送風ファン１１がファンモータ１４により駆動されるようになっている。
【００２６】
熱交換器室１０には、図２の断面図で示すように、前面板７から仕切板８に向かって下方に傾斜した熱交換器１５が設けられている。同熱交換器１５は、並列した多数のフィンと、同フィンに直交するように蛇行状に配設された伝熱管とからなり、同伝熱管は上記した冷媒入出力管１５ｂに接続される配管により図示しない室外機に接続されるようになっている。また、熱交換器室１０の底面には、熱交換器１５のフィン表面で凝縮した凝縮水を受ける露受皿１６が設けられている。同露受皿１６は、本体１が横置状態で設置された際、熱交換器１５から滴下する凝縮水を受ける底面１６ｃを有した主底面部１６ａと、本体１が縦置状態で設置された際、熱交換器１５から滴下する凝縮水を受ける底面１６ｄを有した副底面部１６ｂとからなる断面Ｌ字状に形成されている。また、熱交換器１５の左側パネル３側には、同熱交換器１５を通過しない空気を遮蔽する遮風板２０が設けられている。
【００２７】
前面板７には、図示しない吹出ダクトが接続されるように、矩形状の吹出ダクト接続フランジ１７が形成されており、吹出ダクトの一端は、吹出ダクト接続フランジ１７に穿設された複数の螺子孔１７ａにより本体１に接続される一方、吹出ダクトの他端は、室内天井に設けられた開口部に接続されるようになっている。
【００２８】
本体１の吸込部６から吸込まれた空気は、送風機室９の送風ファン１１により熱交換器室１０に送出され、熱交換器１５で冷媒と熱交換された後、前面板７の吹出ダクト接続フランジ１７に接続された吹出ダクトを介して室内に吹出され、室内の冷暖房を行うようになっている。
【００２９】
尚、本体１の吸込部６には、一端を室内の天井面に接続された吸込ダクトが接続される場合があり、必要に応じて使い分けられるようになっている。
【００３０】
本体１は、図４の分解斜視図で示すように、天板５と、同天板５に螺着される左側パネル３及び右側パネル４と、吹出ダクトが接続される前面板７とで上部筐体を構成し、同上部筐体に、露受皿１６を挿入するとともに、底板２を被着して本体１を構成するようになっており、同本体１の一角は、着脱自在の電装品箱１９が構成するようになっている。
【００３１】
天板５は、図５に示すように、平板状に形成された鋼板の表面に、絞り加工により断面凹状の複数のビード５ｄを形成して強度を増加させるとともに、四側の角部５ｃは図６（Ａ）のＡ部詳細図に示すように、所定の半径Ｒで折曲されている。また、天板５の４辺には図６（Ｂ）のＢ矢視図で示すように、下方に垂下するフランジ５ａ及びフランジ５ｂが形成され、天板５上面と、フランジ５ａ及びフランジ５ｂとの折曲部も所定の半径Ｒで折曲されるようになっている。
【００３２】
四側の角部５ｃが所定の半径Ｒで折曲されるとともに、フランジ５ａ及びフランジ５ｂとの折曲部も所定の半径Ｒで折曲されることにより、四側の角部５ｃは、水平方向及び上下方向において圧縮され、これにより天板５が、反りあるいは捩じれ等の変形に対して剛性が増すようになっている。また、何らかの衝撃力、押圧力が掛かったとしても天板を含む筐体は充分な強度を保つことができるようになっている。
【００３３】
また、右側パネル４は、図７で示すように、平坦部４ａの両側に折曲されたフランジ４ｂを有しており、平坦部４ａとフランジ４ｂとの折曲部４ｃも所定の半径で折曲されるようになっている。これにより、右側パネル４の強度が向上するようになっている。尚、左側パネル３の一側も同様に構成されている。
【００３４】
上記したように、天板５の周囲４辺及び角部５ｃを所定の半径で折曲させ、右側パネル４及び左側パネル３においても、両側部を所定の半径で折曲させることにより、別部材を用いなくとも本体１の強度を向上させることができるようになっており、用いられる鋼板の薄型化により、本体１の軽量化を行うことができるようになっている。
【００３５】
次に、電装品箱１９の構成と、同電装品箱１９の取付構造について説明する。電装品箱１９は、図８に示すように、コ字状に折曲された鋼板からなるメインカバー１９ａと、Ｌ字状に折曲された鋼板からなるサブカバー１９ｂとを接合させて筐体を構成し、同筐体内部に制御基板１９ｃや、図示はしていないが電源基板等が収納されるようになっている。
【００３６】
メインカバー１９ａの上部一側には、内側へ折曲され延出された天板５との接合片１９ｄが設けられており、サブカバー１９ｂの上部一側は、接合片１９ｄと干渉しないように切欠き１９ｇが設けられている。
【００３７】
接合片１９ｄは、図９の要部詳細図に示すように、上記した天板５の所定の半径で折曲された角部５ｃの半径と一致するように、所定の半径で折曲された折曲部１９ｅにより形成されており、天板５の角部と形状が一致するように形成されている。これにより天板５の角部との接合が容易となっているとともに、接合片１９ｄの長さＬ１は充分な強度を保てるよう長めに設定されている。また、接合片１９ｄの高さＬ２は、天板５に設けられたフランジ５ａとフランジ５ｂの高さＬ３より大きく設定されており、これによっても本体１の一部を構成するメインカバー１９ａ及びこれに接続される天板５の強度を向上させるようになっている。尚、折曲部１９ｅの両側には、一対の螺子孔１９ｆが穿設されている。
【００３８】
天板５のメインカバー１９ａが接合される角部には、図９で示すように、メインカバー１９ａ及びこれに形成された接合片１９ｄが挿入され易いように、フランジ５ａとフランジ５ｂの端部が拡開するように切り欠かれた、拡開部５ｅとなっている。また、同拡開部５ｅの両側には螺子挿通孔５ｆが穿設されている。電装品箱１９と天板５が接合されると、図示しない螺子が、天板５の螺子挿通孔５ｆを挿通してメインカバー１９ａの螺子孔１９ｆに螺合されるようになっている。
【００３９】
通常、上記したような切欠きによる拡開部５ｅを設けると、天板５の角部強度が損なわれる虞があるが、接合片１９ｄの折曲部１９ｅを所定の半径で折曲して、接合片１９ｄを拡開部５ｅに内側から押圧させる一方、拡開部５ｅの両側と接合片１９ｄとを螺子止めすることにより、強度を補強できるようになっている。また、切欠きによる拡開部５ｅにより電装品箱１９の着脱が容易となっている。
【００４０】
メンテナンス作業等の際、電装品箱１９は本体１から外して点検が行われる機会があるが、上記したように、天板５の角部と形状が一致するように、所定の半径で折曲された折曲部１９ｅを有した接合片１９ｄと、天板５に形成された拡開部５ｅにより、狭く暗い天井面内でも電装品箱１９の着脱が容易となっている。
【符号の説明】
【００４１】
１  本体
２  底板
２ａ  吊金具
３  左側パネル
３ａ  吊金具
４  右側パネル
４ａ  平坦部
４ｂ  フランジ
４ｃ  折曲部
４ｄ、４ｅ  吊金具  
５  天板
５ａ、５ｂ  フランジ
５ｃ  角部
５ｄ  ビード
５ｅ  拡開部
５ｆ  螺子挿通孔
５ｇ  吊金具
６  吸込部
７  前面板
８  仕切板
９  送風機室
１０  熱交換器室
１１  送風ファン
１２  ケーシング
１２ａ  吸込口
１２ｂ  送出ダクト
１２ｃ  送出口
１３  回転ブレード
１４  ファンモータ
１５  熱交換器
１５ａ  Ｕ字管
１５ｂ  冷媒入出力管
１６  露受皿
１６ａ  主底面部
１６ｂ  副底面部
１６ｃ  底面
１６ｄ  底面
１６ｅ  排出管
１７  吹出ダクト接続フランジ
１７ａ  螺子孔
１８  フィルタ
１９  電装品箱
１９ａ  メインカバー
１９ｂ  サブカバー
１９ｃ  制御基板
１９ｄ  接合片
１９ｅ  折曲部
１９ｆ  螺子孔
【図１】
2011185481.tif 000003
【図２】
2011185481.tif 000004
【図３】
2011185481.tif 000005
【図４】
2011185481.tif 000006
【図５】
2011185481.tif 000007
【図６】
2011185481.tif 000008
【図７】
2011185481.tif 000009
【図８】
2011185481.tif 000010
【図９】
2011185481.tif 000011
【図１０】
2011185481.tif 000012